(57)【要約】【課題】      保形部によって潰れが防止され、保形部は網状体を屈曲して形成して破損が防止されている釣り用魚入れを提供することである。【解決手段】  容器を構成する魚入れ本体１の網状体αは、合成樹脂繊維の網の表面を溶融させた合成樹脂又はゴムで被覆して表面層を形成し、柔軟性を有しているが繊維間のずれが生じないようになっている。  魚入れ本体１の網状体αの側面１ｂには、複数の保形部１ｃが、上下方向に沿って内方に突出するように屈曲させてその屈曲部から成る保形部１ｃの基部Ｍを溶着で接合して屈曲状態を保持し、網状体αを２重にし中央に空間を有する断面がル−プ状の上下方向に延びる柱を網状体αによって一体に形成し、この保形部１ｃに沿ってこれを摘み上げるように柔軟性を有する合成樹脂シ−トからなるカバ−体７で覆って縫着部１９で縫着している。【選択図】        図６
2007089474.tif 000002
【特許請求の範囲】
【請求項１】
網状体を有する釣り用魚入れにおいて、網状体の一部に屈曲部を形成し釣り用魚入れの形状を保持する保形部を設けたことを特徴とする釣り用魚入れ。
【請求項２】
屈曲部の基部側は網状体同志が接合されていることを特徴とする請求項１記載の釣り用魚入れ。
【請求項３】
屈曲部を覆うカバ−体を設けたことを特徴とする請求項１または２記載の釣り用魚入れ。
【請求項４】
屈曲部に心材が挿通されていることを特徴とする請求項１から３記載の釣り用魚入れ。
【請求項５】
屈曲部は網状体の側面に形成したことを特徴とする請求項１から４記載の釣り用魚入れ。
【発明の詳細な説明】
【技術分野】
【０００１】
本発明は、網状体を有する釣り用魚入れの改良に関する。
【背景技術】
【０００２】
従来の魚入れ容器は、びく、スカリなどが用いられており、多くは網状体で構成されている。
これらの魚入れはロ−プで吊して水中に入れて魚を生かしておけるようになっている。
特許文献１は上部、下部および側面にフレ−ム部材が網状体に沿って取り付けられており保形性を有するが、フレ−ムは網状体とは別体で形成されており、この場合、金属や硬質プラスチックが用いられることが多く、網状体とフレ−ムにずれやすかったり、フレ−ムが破壊してしまうことがある。
【特許文献１】実開昭５７−１２９３５５号公報
【発明の開示】
【発明が解決しようとする課題】
【０００３】
解決しようとする問題点は、従来の魚入れは、フレ−ムは網状体とは別体で形成されており、この場合、金属や硬質プラスチックが用いられることが多く、網状体とフレ−ムにずれやすかったり、フレ−ムが破壊してしまうことがある。
【０００４】
本発明の目的は前記欠点に鑑み、保形部によって潰れが防止され、保形部は網状体を屈曲して形成して破損が防止されている釣り用魚入れを提供することである。
【課題を解決するための手段】
【０００５】
本発明の請求項１は、網状体を有する釣り用魚入れにおいて、網状体の一部に屈曲部を形成し釣り用魚入れの形状を保持する保形部を設けたことを要旨とするものである。
本発明の請求項２は、屈曲部の基部側は網状体同志が接合されていることを要旨とするものである。
本発明の請求項３は、屈曲部を覆うカバ−体を設けたことを要旨とするものである。
本発明の請求項４は、屈曲部に心材が挿通されていることを要旨とするものである。
本発明の請求項５は、屈曲部は網状体の側面に形成したことを要旨とするものである。
【発明の効果】
【０００６】
本発明の請求項１により、保形部によって、網状体を有する魚入れ本体の潰れが防止され、また、その保形部は網状体を屈曲して形成しているため、破損が防止できる。
本発明の請求項２により、屈曲部の屈曲形状が維持されるため魚入れ本体の潰れが防止できる。
本発明の請求項３により、屈曲部の剛性を高め、また、擦れ等による破損を防止する。
本発明の請求項４により、保形部による魚入れ本体の潰れをより確実に防止できる。
本発明の請求項５により、魚入れ本体のうち特に潰れやすい部位に保形部を形成したので効果的に潰れを防止できる。
【発明を実施するための最良の形態】
【０００７】
魚入れ本体１は網状体αで形成され、上面側に開口１ａを有し、蓋体２を開けた時魚の出し入れが出来るようになっている。
容器を構成する魚入れ本体１の網状体αは、合成樹脂繊維の網の表面を溶融させた合成樹脂又はゴムで被覆して表面層を形成し、屈曲できるように柔軟性を有しているが繊維間のずれが生じないようになっている。
魚入れ本体１の側面１ｂには、上下に延びるように側面１ｂをつまみ上げるように屈曲されて形成した屈曲部から成る複数の保形部１ｃが形成されている。
保形部１ｃは、網状体αの側面１ｂを上下方向に沿って内方に突出するように屈曲させてその屈曲部から成る保形部１ｃの基部Ｍを接合して屈曲状態を保持し、他の部分より曲げ剛性が大きい網状体αを２重にし中央に空間を有する断面がル−プ状の上下方向に延びる柱状部を網状体αによって一体に形成する。
さらにこの屈曲部から成る保形部１ｃに沿って柔軟性を有する合成樹脂シ−トからなるカバ−体７で覆って縫着部２０で縫着している。
【実施例１】
【０００８】
以下、図示の実施例によって本発明を説明すると、図１から図６は第１実施例で、図１は釣り用魚入れの斜視図、図２は釣り用魚入れの平面図、図３は釣り用魚入れの側面図、図４は釣り用魚入れの他の側面図、図５は釣り用魚入れの要部拡大縦断面側面図、図６は釣り用魚入れの要部拡大横断面平面図である。
【０００９】
釣り用魚入れＡは、網状体αを有する容器状の魚入れ本体１を有し、魚入れ本体１は網状体αで円筒状に形成され、上面側に丸形の開口１ａを有し、この開口１ａを開閉可能に閉塞する蓋体２を有し、蓋体２を開けた時魚の出し入れが出来るようになっている。
また、この開口１ａは蓋体２で閉塞できるようになっており、蓋体２は一側がヒンジ部１０で開口１ａの外縁に折り曲げ可能に取り付けられ、周縁は開口１ａに沿ってチャック３で閉じれるようになっている。
蓋体２は、上面２ａと下面２ｂが合成樹脂シ−ト１１で覆われその間に合成樹脂発泡体等の浮力材１２が介在され、これにより釣り用魚入れＡに水を入れた時、水面に浮くようになっている。
蓋体２上面２ａにはハンドル４が取り付けられ、更にハンドル４には吊り下げ用のロ−プ１３が取り付けられている。
【００１０】
容器を構成する魚入れ本体１の網状体αは、合成樹脂繊維で形成した網の表面を溶融させた合成樹脂又はゴムで被覆してこれを硬化させて表面層を形成し、柔軟性を有し折り曲げが可能であるが繊維間のずれが生じないようになっている。
魚入れ本体１の上端側の縁部β（側面と上面の境界部）と下端側の縁部γ（側面と下面の境界部）にそれぞれに環状に形成した上部フレ−ム５と下部フレ−ム６が設けられている。
これらのフレ−ム５、６はそれぞれの縁部β、γに沿って合成樹脂の芯材１４を添えてその上から合成樹脂シ−ト１５、１６で覆って網状体αに縫着部１７、１８で縫着されて形成されている。
前記チャック３は魚入れ本体１側の合成樹脂シ−ト１５と蓋体２の合成樹脂シ−ト１１に縫着等で固定されている。
【００１１】
魚入れ本体１の側面１ｂには、上下に延びる屈曲部から成る複数の保形部１ｃが形成されている。
保形部１ｃは、網状体αの側面１ｂを上下方向に沿って内方に突出するように屈曲させてその屈曲部から成る保形部１ｃの基部Ｍを溶着部１９のように溶着したり縫着部２０のように縫着したりその他の接合手段で接合して屈曲状態を保持し、他の部分より曲げ剛性が大きい網状体αを２重にし中央に空間を有する断面がル−プ状の上下方向に延びる柱状部を網状体αによって一体に形成する。
この上下方向に延びる保形部１ｃは側面１ｂが上下に潰れるように折り曲がることに対し効果的に剛性を高めている。
さらにこの屈曲部から成る保形部１ｃに沿って柔軟性を有する合成樹脂シ−トからなるカバ−体７で覆って縫着部２０で縫着している。
このカバ−体７は、網状体αより硬く（曲げ剛性が大きく）、屈曲部から成る保形部１ｃの外側に沿って屈曲するように形成して保形部１ｃを覆い、保形部１ｃ全体の曲げ剛性を高め、形状の保持性を高めている。
さらに擦り切れなどの保形部１ｃの破損を防止する。
また、屈曲部の間に間隙を有するようにカバ−体７で覆っているため屈曲部の中央に設けた空間と同様に衝突の衝撃を緩和することも出来る。
【００１２】
このように形成された保形部１ｃは釣り用魚入れＡの形状を保持しながら可撓性を有し破損しにくい。
側面１ｂに設けた保形部１ｃは、側面１ｂの周縁部でなく側面の中央側を横切るように延びて形成されることで最も潰れやすい網状体αで形成された面の中央側を効果的に保形する。
保形部１ｃは上部フレ−ム５と下部フレ−ム６に達しないように形成され上部フレ−ム５と下部フレ−ム６に対し間隙δ、εを有して配され折り畳みが容易に出来るようにしている。
しかし、間隙を有せず側面１ｂの上部から下部まで延設し上部フレ−ム５と下部フレ−ム６に達するようにして更に保形力を向上させても良い。
下部フレ−ム６の芯材１４は金属や合成樹脂の棒体としても良い。
下部フレ−ム６の内側の上側に魚入れ本体１の底面１ｄが形成されている。
蓋体２に魚投入用の孔を設けて蓋で閉塞可能にしてもよい。
なお、保形部１ｃとカバ−体７によって円筒形状が維持できるため下部フレ−ム６は設けなくてもよい。
下部フレ−ム６がない時は魚入れ本体１の側面１ｂと底面１ｄが連続するように一体的に形成されている。
【００１３】
この釣り用魚入れＡを使用するときは、円筒状に広げて魚を入れ、ロ−プ１３で吊して水中に入れ浮かせた状態で魚を生かしておくことができる。
この状態で屈曲部から成る保形部１ｃがあるため波によって魚入れ本体１の形が崩れにくく魚が弱ることが防止される。
また、魚入れ本体１を引き上げて地面に置いても保形部１ｃによって立ち上がった形状を維持しやすい。
また、保形部１ｃは折れ曲がってしまっても負荷がなくなればその弾性によって上下方向に延びた基の状態に戻るようになっている。
なお、保形部１ｃは、網状体αの屈曲部だけでシ−ト体はなくても良い。
【００１４】
前記のように釣り用魚入れＡが構成されていると、保形部１ｃによって、網状体αからなる魚入れ本体１の潰れが防止され、また、その保形部１ｃは網状体αを屈曲して形成しているため、破損が防止できる。
【実施例２】
【００１５】
図７は第２実施例で、図７は屈曲部から成る保形部が魚入れ本体の外側に形成された要部拡大横断面平面図である。
【００１６】
第２実施例では、網状体αからなる容器状の魚入れ本体１の網状体αの側面１ｂを上下方向に沿って外方に突出するように屈曲させてその屈曲部から成る保形部１ｅの基部を溶着や縫着等の接合手段で接合して屈曲状態を保持し、他の部分より曲げ剛性が大きい網状体αを２重にし中央に空間を有する断面がル−プ状の上下方向に延びる柱を網状体αによって一体に形成する。
さらにこの屈曲部から成る保形部１ｅに沿って柔軟性を有する合成樹脂シ−トからなるカバ−体７で覆って縫着部２１で縫着している。
第１実施例は保形部１ｅを魚入れ本体１の内側に形成して保形部１ｃが他物と接触して破損することを防止したが、第２実施例では保形部１ｅを魚入れ本体１の外側に形成して他物と接触した時の緩衝部とし、網状体αの破損を防止している。
他の構成は前記第１実施例と略同一である。
【実施例３】
【００１７】
図８は第３実施例で、図８は屈曲部から成る保形部が魚入れ本体の左右方向に形成された側面図である。
【００１８】
第３実施例では、網状体αからなる容器状の魚入れ本体１の網状体αの側面１ｂを周方向に沿って内方に突出するように屈曲させてその屈曲部から成る保形部１ｆの基部を溶着で接合して屈曲状態を保持し、他の部分より曲げ剛性が大きい網状体αを２重にし中央に空間を有する断面がル−プ状の周方向（横方向）に延びる保形部１ｆを網状体αによって一体に形成する。
側面１ｂの内方の屈曲部から成る保形部１ｆの外側は図示しないカバ−体で覆われている。
このように側面１ｂにその周方向に延びる保形部１ｆを設けることで魚入れ本体１の側面１ｂが潰れず外方に広がった状態が維持できる。
他の構成は前記第１実施例と略同一である。
【実施例４】
【００１９】
図９は第４実施例で、図９は底面に屈曲部から成る保形部が形成された底面図である。
【００２０】
第４実施例では、網状体αからなる容器状の魚入れ本体１の網状体αの底面１ｄに内方に突出するように底面１ｄを摘み上げて屈曲させてその屈曲部から成る保形部１ｇを複数条を一方向に延びるように設けて基部を溶着で接合して屈曲状態を保持している。
他の構成は前記第１実施例と略同一である。
【実施例５】
【００２１】
図１０は第５実施例で、図１０は底面に屈曲部から成る保形部が形成された底面図である。
【００２２】
第５実施例では、網状体αからなる容器状の魚入れ本体１の網状体αの底面１ｄに内方に突出するように底面１ｄを摘み上げて屈曲させてその屈曲部から成る保形部１ｈを底面１ｄの中心に十字となるように延設し基部を溶着で接合して屈曲状態を保持している。
他の構成は前記第１実施例と略同一である。
【実施例６】
【００２３】
図１１は第６実施例で、図１１は釣り用魚入れの要部拡大横断面平面図である。
【００２４】
第６実施例では、魚入れ本体１の側面１ｂに、上下に延びる屈曲部から成る複数の保形部１ｃが形成されている。
保形部１ｃは、網状体αの側面１ｂを上下方向に沿って内方に突出するように屈曲させてその屈曲部から成る保形部１ｃの基部Ｍを溶着で接合して屈曲状態を保持し、他の部分より曲げ剛性が大きい網状体αを２重にし中央に空間を有する断面がル−プ状の上下方向に延びる柱を網状体αによって一体に形成する。
保形部１ｃの中央の空間には屈曲部の内側に沿って心材２２が挿通されている。
この心材２２は可撓性を有し、保形部１ｃは屈曲が可能で負荷がなくなればその弾性でもその上下方向に延びた状態に戻る。
他の構成は前記第１実施例と略同一である。
【実施例７】
【００２５】
図１２は第７実施例で、図１２は釣り用魚入れの要部拡大横断面平面図である。
【００２６】
第７実施例では、魚入れ本体１の側面１ｂに、上下に延びる屈曲部から成る複数の保形部１ｃが形成されている。
保形部１ｃは、網状体αの側面１ｂを上下方向に沿って内方に突出するように屈曲させてその屈曲部から成る保形部１ｃの基部Ｍを溶着で接合して屈曲状態を保持し、保形部１ｃは側面１ｂに沿うように止着部２３、２４は溶着されて止着されている。
他の構成は前記第１実施例と略同一である。
【産業上の利用可能性】
【００２７】
本発明は釣り用魚入れ全般に利用できる。
【図面の簡単な説明】
【００２８】
【図１】第１実施例で、釣り用魚入れの斜視図である。
【図２】同釣り用魚入れの平面図である。
【図３】同釣り用魚入れの側面図である。
【図４】同釣り用魚入れの他の側面図である。
【図５】同釣り用魚入れの要部拡大縦断面側面図である。
【図６】同釣り用魚入れの要部拡大横断面平面図である。
【図７】第２実施例で、屈曲部から成る保形部が魚入れ本体の外側に形成された要部拡大横断面平面図である。
【図８】第３実施例で、屈曲部から成る保形部が魚入れ本体の左右方向に形成された側面図である。
【図９】第４実施例で、図９は底面に屈曲部から成る保形部が形成された底面図である。
【図１０】第５実施例で、底面に屈曲部から成る保形部が形成された底面図である。
【図１１】第６実施例で、釣り用魚入れの要部拡大横断面平面図である。
【図１２】第７実施例で、釣り用魚入れの要部拡大横断面平面図である。
【符号の説明】
【００２９】
Ａ  釣り用魚入れ
１  魚入れ本体
１ｂ  側面
１ｃ、１ｅ、１ｆ、１ｇ、１ｈ  保形部
７  カバ−体
２２  心材
α  網状体
【図１】
2007089474.tif 000003
【図２】
2007089474.tif 000004
【図３】
2007089474.tif 000005
【図４】
2007089474.tif 000006
【図５】
2007089474.tif 000007
【図６】
2007089474.tif 000008
【図７】
2007089474.tif 000009
【図８】
2007089474.tif 000010
【図９】
2007089474.tif 000011
【図１０】
2007089474.tif 000012
【図１１】
2007089474.tif 000013
【図１２】
2007089474.tif 000014